(57)【要約】【課題】電力用の蓄電池を、使い方の工夫によって、できるだけ長く使用することができるようにする。【解決手段】需要家における負荷及び商用電力系統が接続される交流電路、に接続され系統連系する蓄電装置であって、蓄電池と、蓄電池の充電状態を管理する蓄電池管理部と、交流を直流に変換して蓄電池を充電する機能、及び、蓄電池を放電させ直流を交流に変換して交流電路に給電する機能を有する電力変換部と、電力変換部を制御して蓄電池を充放電させる制御部と、を備え、制御部は、蓄電池を充電して満充電に相当する状態になってからの放電待機時間が所定時間に達すると蓄電池を放電させ、また、蓄電池を放電させて完全放電に相当する状態になってからの充電待機時間が所定時間に達すると充電する。【選択図】図５
2019022302.tif 000002
【特許請求の範囲】
【請求項１】
需要家における負荷及び商用電力系統が接続される交流電路、に接続され系統連系する蓄電装置であって、
蓄電池と、
前記蓄電池の充電状態を管理する蓄電池管理部と、
交流を直流に変換して前記蓄電池を充電する機能、及び、前記蓄電池を放電させ直流を交流に変換して前記交流電路に給電する機能を有する電力変換部と、
前記電力変換部を制御して前記蓄電池を充放電させる制御部と、を備え、
前記制御部は、前記蓄電池を充電して満充電に相当する状態になってからの放電待機時間が所定時間に達すると前記蓄電池を放電させ、また、前記蓄電池を放電させて完全放電に相当する状態になってからの充電待機時間が所定時間に達すると充電する、蓄電装置。
【請求項２】
前記放電待機時間が所定時間に達すると、前記制御部は、アラームを出力し、前記蓄電池を放電させる、請求項１に記載の蓄電装置。
【請求項３】
商用電力系統が接続される交流電路と、
前記交流電路に接続される、需要家における負荷と、
前記交流電路に接続され系統連系する蓄電装置と、を備える電源システムであって、前記蓄電装置は、
蓄電池と、
前記蓄電池の充電状態を管理する蓄電池管理部と、
交流を直流に変換して前記蓄電池を充電する機能、及び、前記蓄電池を放電させ直流を交流に変換して前記交流電路に給電する機能を有する電力変換部と、
前記電力変換部を制御して前記蓄電池を充放電させる制御部と、を備え、
前記制御部は、前記蓄電池を充電して満充電に相当する状態になってからの放電待機時間が所定時間に達すると前記蓄電池を放電させ、また、前記蓄電池を放電させて完全放電に相当する状態になってからの充電待機時間が所定時間に達すると充電する、電源システム。
【発明の詳細な説明】
【技術分野】
【０００１】
本発明は、蓄電装置及び電源システムに関する。
【背景技術】
【０００２】
太陽光発電等の発電設備と、蓄電池とを併用する電源システムは、既に数多く提案されている（例えば、特許文献１〜４参照。）。例えば、一般家庭のような小規模の需要家でも、太陽光発電設備のみならず、蓄電池を備えることにより、できるだけ商用電力系統に依存しない電力供給のあり方が考えられている。また、太陽光発電設備を設置しなくても、蓄電池を設置することで、ピークシフトに対応でき、かつ、電力量単価の割安な夜間時間の電力を有効に利用することができる。このような電力用の蓄電池としては、一般に、リチウムイオン電池が使用されている。
【先行技術文献】
【特許文献】
【０００３】
【特許文献１】特開２００４−１８０４６７号公報
【特許文献２】特開２０１２−１３９０１９号公報
【特許文献３】特開２０１３−５５８４号公報
【特許文献４】特開２０１３−１７２４９５号公報
【発明の概要】
【発明が解決しようとする課題】
【０００４】
上記のような電力用の蓄電池は、家庭用としては未だ高価な製品であり、蓄電容量を大きくするほどさらに高価となる。従って、一旦導入すれば、できるだけ長く使えるようにしたい。蓄電池の寿命は経年劣化以外に、使い方によっても大きく影響される。
【０００５】
かかる課題に鑑み、本発明は、電力用の蓄電池を、使い方の工夫によって、できるだけ長く使用することができるようにすることを目的とする。
【課題を解決するための手段】
【０００６】
本発明の一表現に係る蓄電装置は、需要家における負荷及び商用電力系統が接続される交流電路、に接続され系統連系する蓄電装置であって、蓄電池と、前記蓄電池の充電状態を管理する蓄電池管理部と、交流を直流に変換して前記蓄電池を充電する機能、及び、前記蓄電池を放電させ直流を交流に変換して前記交流電路に給電する機能を有する電力変換部と、前記電力変換部を制御して前記蓄電池を充放電させる制御部と、を備え、前記制御部は、前記蓄電池を充電して満充電に相当する状態になってからの放電待機時間が所定時間に達すると前記蓄電池を放電させ、また、前記蓄電池を放電させて完全放電に相当する状態になってからの充電待機時間が所定時間に達すると充電する蓄電装置である。
【０００７】
また、本発明の一表現に係る電源システムは、商用電力系統が接続される交流電路と、前記交流電路に接続される、需要家における負荷と、前記交流電路に接続され系統連系する蓄電装置と、を備える電源システムであって、前記蓄電装置は、蓄電池と、前記蓄電池の充電状態を管理する蓄電池管理部と、交流を直流に変換して前記蓄電池を充電する機能、及び、前記蓄電池を放電させ直流を交流に変換して前記交流電路に給電する機能を有する電力変換部と、前記電力変換部を制御して前記蓄電池を充放電させる制御部と、を備え、前記制御部は、前記蓄電池を充電して満充電に相当する状態になってからの放電待機時間が所定時間に達すると前記蓄電池を放電させ、また、前記蓄電池を放電させて完全放電に相当する状態になってからの充電待機時間が所定時間に達すると充電する電源システムである。
【発明の効果】
【０００８】
本発明によれば、蓄電池の長寿命化を実現することができる。
【図面の簡単な説明】
【０００９】
【図１】電源システムの回路構成を示す単線接続図である。
【図２】蓄電池が満充電で長い時間待機する場合の、１日のＳＯＣ変化の一例を示すグラフである。
【図３】蓄電池が完全放電で長い時間待機する場合の、１日のＳＯＣ変化の一例を示すグラフである。
【図４】蓄電池の２つのサンプルの経年劣化を示すグラフである。
【図５】制御部が行う充放電制御の一例を示すフローチャートである。
【図６】図５の充放電制御を行う場合の、１日のＳＯＣ変化の一例を示すグラフである。
【図７】図５の充放電制御を行う場合の、１日のＳＯＣ変化の他の例を示すグラフである。
【図８】電源システムの他の回路構成を示す単線接続図である。
【発明を実施するための形態】
【００１０】
［実施形態の要旨］
本発明の実施形態の要旨としては、少なくとも以下のものが含まれる。
【００１１】
（１）これは、需要家における負荷及び商用電力系統が接続される交流電路、に接続され系統連系する蓄電装置であって、蓄電池と、前記蓄電池の充電状態を管理する蓄電池管理部と、交流を直流に変換して前記蓄電池を充電する機能、及び、前記蓄電池を放電させ直流を交流に変換して前記交流電路に給電する機能を有する電力変換部と、前記電力変換部を制御して前記蓄電池を充放電させる制御部と、を備え、前記制御部は、前記蓄電池を充電して満充電に相当する状態になってからの放電待機時間が所定時間に達すると前記蓄電池を放電させ、また、前記蓄電池を放電させて完全放電に相当する状態になってからの充電待機時間が所定時間に達すると充電する。
【００１２】
上記のように構成された蓄電装置では、満充電に相当する状態になってからの待機時間、及び、完全放電に相当する状態になってからの待機時間が、常に所定時間以内となる。これにより、蓄電池が早期に劣化することを抑制し、蓄電池の長寿命化を実現することができる。
【００１３】
（２）また、（１）の蓄電装置において、前記放電待機時間が所定時間に達すると、前記制御部は、アラームを出力し、前記蓄電池を放電させるようにしてもよい。
この場合、蓄電装置のユーザが、アラームを受けて、必要な電力を積極的に消費することにより、蓄電池の放電を可能とする。
【００１４】
（３）また、他の観点からは、これは、商用電力系統が接続される交流電路と、前記交流電路に接続される、需要家における負荷と、前記交流電路に接続され系統連系する蓄電装置と、を備える電源システムであって、前記蓄電装置は、蓄電池と、前記蓄電池の充電状態を管理する蓄電池管理部と、交流を直流に変換して前記蓄電池を充電する機能、及び、前記蓄電池を放電させ直流を交流に変換して前記交流電路に給電する機能を有する電力変換部と、前記電力変換部を制御して前記蓄電池を充放電させる制御部と、を備え、前記制御部は、前記蓄電池を充電して満充電に相当する状態になってからの放電待機時間が所定時間に達すると前記蓄電池を放電させ、また、前記蓄電池を放電させて完全放電に相当する状態になってからの充電待機時間が所定時間に達すると充電する。
【００１５】
上記のように構成された電源システムの蓄電装置では、満充電に相当する状態になってからの待機時間、及び、完全放電に相当する状態になってからの待機時間が、常に所定時間以内となる。これにより、蓄電池が早期に劣化することを抑制し、蓄電池の長寿命化を実現することができる。また、満充電に相当する状態になってからの放電待機時間が所定時間に達すると負荷への給電により、蓄電池を放電させることができる。負荷が例えば貯湯型電気給湯器であれば放電電力は熱エネルギーに代えて蓄えられることになる。負荷が他の蓄電池であれば、他の蓄電池の充電に充てることで、エネルギーを無駄に消費せず、他の蓄電池に蓄えることができる。また、蓄電池の電力を売電することが可能な場合には、放電電力を売電することもできる。
【００１６】
［実施形態の詳細］
以下、本発明の一実施形態に係る蓄電装置及び電源システムについて、図面を参照して説明する。
【００１７】
《電源システム及び蓄電装置の回路構成及び動作》
図１は、電源システム１００の回路構成を示す単線接続図である。図において、需要家の分電盤１内の交流電路２には、商用電力系統３が接続されている。また、太陽光発電パネル４にはパワーコンディショナ５が接続されている。パワーコンディショナ５は、交流電路２に接続されている。燃料電池１７も、パワーコンディショナ１８を介して、交流電路２に接続されている。太陽光発電パネル４及びパワーコンディショナ５は、太陽光発電装置２１を構成している。燃料電池１７及びパワーコンディショナ１８は、燃料電池発電装置２２を構成している。
【００１８】
分電盤１内の交流電路２からは、回路遮断器６を介して、需要家の負荷７が接続されている。回路遮断器６は、通常、閉路している。なお、ここでは図示の簡略化のため、回路遮断器及び負荷の一系統分のみを示しているが、実際には複数系統にわたって、交流電路２に、回路遮断器及び負荷が接続されている。
【００１９】
また、交流電路２には、系統連系型の蓄電装置８が接続されている。蓄電装置８内では、「電力変換部」としての双方向インバータ９が、連系リレー（開閉部）１０を介して、交流電路２に接続されている。蓄電池１１は、開閉部１２を介して、双方向インバータ９と接続されている。蓄電池１１は、例えばリチウムイオン電池である。蓄電池１１には、「蓄電池管理部」としてのＢＭＳ（Battery Management System）１３が設けられている。なお、ＢＭＳ１３は、制御部１４と一体化することもできる。交流電路２の電圧を検出する電圧センサ１６は、例えば、蓄電装置８内に設けられている。
【００２０】
ＢＭＳ１３は、蓄電池１１の充電状態（ＳＯＣ：State of charge）、端子電圧、セル電圧、温度等、蓄電池１１に関する各種情報を取得している。当該情報は、制御部１４に送られる。制御部１４は、双方向インバータ９のスイッチング動作、並びに、連系リレー１０及び開閉部１２の開閉動作を制御する。通常、連系リレー１０及び開閉部１２は共に、閉路している。
【００２１】
また、商用電力系統３と分電盤１内の交流電路２とを接続する電路上には、電流センサ１５が設けられている。電流センサ１５及び電圧センサ１６の各計測出力は、制御部１４に送られ、これらに基づいて制御部１４は、商用電力系統３と分電盤１との間で受け渡される電力を検出することができる。
制御部１４は例えば、コンピュータを含み、ソフトウェア（コンピュータプログラム）をコンピュータが実行することで、必要な制御機能を実現する。ソフトウェアは、制御部１４の記憶装置（図示せず。）に格納される。
【００２２】
また、制御部１４は、２つのパワーコンディショナ５，１８と通信可能に接続されており、これらから、発電電力の情報を得ることができる。発電電力の情報及び、商用電力系統３と分電盤１との間で受け渡される電力の情報に基づいて、制御部１４は、蓄電池１１の充電／放電／待機を決定する。
【００２３】
図１において、太陽光発電パネル４による太陽光発電中は、パワーコンディショナ５が系統連系運転を行っており、太陽光発電パネル４の出力（直流）を交流の発電電力に変換して交流電路２に送り込んでいる。発電電力は需要家の負荷７により自家消費することができるほか、余剰電力があれば、商用電力系統３への逆潮（売電）や、蓄電池１１の充電を行うことができる。蓄電池１１を充電するときの双方向インバータ９は、制御部１４の制御に基づいて、交流から直流への変換を行っている。
【００２４】
また、燃料電池１７の運転中は、パワーコンディショナ１８が系統連系運転（但し売電せず。）を行っており、燃料電池１７の出力（直流）を交流の発電電力に変換して交流電路２に送り込んでいる。発電電力は、需要家の負荷７により自家消費することができるほか、必要に応じて蓄電池１１の充電に充てることもできる。蓄電池１１を充電するときの双方向インバータ９は、制御部１４の制御に基づいて、交流から直流への変換を行っている。
【００２５】
太陽光発電を行っていない時間帯（主に夜間）は、燃料電池１７又は商用電力系統３から負荷７に給電することができる。また、蓄電池１１を放電させて蓄電装置８から負荷７の消費電力を供給することもできる。蓄電池１１を放電させるときの双方向インバータ９は、制御部１４の制御に基づいて、直流から交流への変換を行っている。なお、夜間における蓄電池１１は、商用電力系統３の電力により、充電することができる。
【００２６】
なお、図１の電源システム１００は一例に過ぎず、太陽光発電装置２１及び燃料電池発電装置２２の一方、又は双方は、無い場合もある。
【００２７】
《１日の充放電の例》
蓄電池１１の充電状態（ＳＯＣ）は、例えば９０％以上が「満充電」、１０％以下が「完全放電」とする。なお、これらの数値は蓄電池の容量や種類によっても異なるので、絶対的な数字ではなく、一例である。
【００２８】
図２は、蓄電池が満充電で長い時間待機する場合の、１日のＳＯＣ変化の一例を示すグラフである。縦軸はＳＯＣ［％］、横軸は１日の時刻［時］を、それぞれ表している。なお、グラフでは、簡略化のため、満充電はＳＯＣが１００％の状態、完全放電はＳＯＣが０％の状態として説明する（図３も同様。）。蓄電池容量は例えば３ｋＷｈ、最大出力は１．５ｋＷであるとする。図において、この例では、朝７時に満充電の状態から１．５ｋＷで放電開始し、９時に完全放電となる。９時から１．５ｋＷで充電開始となり、１１時に満充電となる。このような使い方をしたとすると、午前１１時から翌朝の午前７時までの２０時間が、満充電での長い待機時間となる。
【００２９】
図３は、蓄電池が完全放電で長い時間待機する場合の、１日のＳＯＣ変化の一例を示すグラフである。縦軸はＳＯＣ［％］、横軸は１日の時刻［時］を、それぞれ表している。蓄電池容量は例えば３ｋＷｈ、最大出力は１．５ｋＷであるとする。図において、この例では、朝７時に完全放電の状態から１．５ｋＷで充電開始し、９時に満充電となる。９時から１．５ｋＷで放電開始となり、１１時に完全放電となる。このような使い方をしたとすると、午前１１時から翌朝の午前７時までの２０時間が、完全放電での長い待機時間となる。
【００３０】
上記２例は、最も待機時間の長い例であり、もし、実際にこのような使い方をすると、蓄電池の劣化が早くなると予想される。
ここで、待機時間の違いが蓄電池の寿命にどの程度影響するかをシミュレーションで調べた。サンプルとして、満充電での待機時間が１日に１１時間の場合と、満充電での待機時間が１日に０時間（待機時間無し）の場合とを下記の条件下で比較した。
【００３１】
《待機時間と寿命との関係》
蓄電池容量：３．２ｋＷｈ
充電条件：定電流・定電圧方式、１８．９Ａ、１１６．２Ｖ
放電条件：定電力方式、１５００Ｗ
１日当たりのサイクル数：２サイクル
また、温度条件は、１〜１２月のそれぞれの平均屋内温度として以下の温度とした。
【００３２】
2019022302.tif 000003
【００３３】
図４は、蓄電池の２つのサンプルの経年劣化を示すグラフである。
横軸は年数、縦軸は容量維持率［％］を表している。ここで、満充電での毎日の待機時間が無い場合と、待機時間が毎日１１時間の場合とでは、使用開始から１年の時点でも少し差があり、以後、年数ごとに、容量維持率の差が開いていく。容量維持率が５０％になる年数を比較すると、満充電での待機時間が無い場合は、１３．７年、一方、満充電での待機時間が毎日１１時間である場合は、１１．７年、という結果が出た。すなわち、待機時間の長い使い方は、年数が経つほど、寿命に大きく影響することがわかる。
そこで、待機時間を短くする充放電制御について説明する。
【００３４】
《充放電制御の一例》
図５は、制御部１４（図１）が行う充放電制御の一例を示すフローチャートである。
充放電制御を開始すると、制御部１４は、充電、放電、待機のいずれを行うかを決定する（ステップＳ１）。充電を行う場合には、ステップＳ２からステップＳ３へ進み、満充電でなければ充電する（ステップＳ４）。充電を続ける場合は、ステップＳ１，Ｓ２，Ｓ３，Ｓ４の繰り返しとなり、満充電に達すると充電を停止して待機する（ステップＳ９）。
【００３５】
待機の開始後、制御部１４は、所定時間が経過したか否かを判定し（ステップＳ１０）、所定時間が経過するまでは、ステップＳ１，Ｓ２，Ｓ７，Ｓ９，Ｓ１０を繰り返す。そして、所定時間が経過すると、制御部１４は、強制放電（ステップＳ１１）を実行する。強制放電は、負荷７又はその他の需要家の負荷に電力を供給することにより行われる。強制放電によりＳＯＣが所定範囲（例えば９０％未満）になれば（ステップＳ１２のＹｅｓ）、制御部１４は、ステップＳ１，Ｓ２に戻り、引き続き放電させる場合はステップＳ１，Ｓ２，Ｓ５，Ｓ６を繰り返す。放電を停止する場合は、ステップＳ１，Ｓ２，Ｓ７，Ｓ８の繰り返しとなる。
【００３６】
また、ステップＳ１，Ｓ２で放電を行う場合、制御部１４は、ステップＳ２からステップＳ５へ進み、完全放電でなければ放電させる（ステップＳ６）。放電を続ける場合は、ステップＳ１，Ｓ２，Ｓ５，Ｓ６の繰り返しとなり、完全放電に達すると放電を停止して待機する（ステップＳ１３）。
【００３７】
待機の開始後、制御部１４は、所定時間が経過したか否かを判定し（ステップＳ１４）、所定時間が経過するまでは、ステップＳ１，Ｓ２，Ｓ７，Ｓ８，Ｓ１３，Ｓ１４を繰り返す。そして、所定時間が経過すると、制御部１４は、強制充電（ステップＳ１５）を実行する。強制充電によりＳＯＣが所定範囲（例えば１０％より上）になれば（ステップＳ１６のＹｅｓ）、制御部１４は、ステップＳ１，Ｓ２に戻り、引き続き充電する場合はステップＳ１，Ｓ２，Ｓ３，Ｓ４を繰り返す。充電を停止する場合は、ステップＳ１，Ｓ２，Ｓ７，Ｓ８の繰り返しとなる。
【００３８】
図６は、図５の充放電制御を行う場合の、１日のＳＯＣ変化の一例を示すグラフである。縦軸はＳＯＣ［％］、横軸は１日の時刻［時］を、それぞれ表している。なお、グラフでは、簡略化のため、満充電はＳＯＣが１００％の状態、完全放電はＳＯＣが０％の状態として説明する（図７も同様。）。蓄電池容量は例えば３ｋＷｈ、最大出力は１．５ｋＷであるとする。待機の所定時間は、この例では５時間である。
【００３９】
図６において、この例では、１時に満充電の状態から１．５ｋＷで放電開始し、３時に完全放電となる。３時から１時間待機した後、４時に１．５ｋＷで充電開始となり、６時に満充電となる。６時から１時間待機した後の７時に、満充電の状態から１．５ｋＷで放電開始し、９時に完全放電となる。その９時に１．５ｋＷで充電開始となり、１１時に満充電となる。以後、放電指令が出ないまま５時間が経過すると（１６時）強制的に放電を開始し、２０時まで行った時点でＳＯＣが所定範囲（９０％より下）になり、さらなる放電指令が無ければ、待機となる。
【００４０】
図６の場合、満充電での連続した待機時間は５時間である。０時から１時の１時間を加えても、満充電での１日の待機時間は６時間となる。図２と比較すれば明らかに、満充電での待機時間は低減される。図５のステップＳ１０における「所定時間」をさらに短くすれば、より一層、待機時間を短縮することができる。但し、サイクル数も考慮して適切に所定時間を定めることが必要である。
【００４１】
なお、強制放電を行うためには、放電電力を使用する需要が必要となる。負荷７（図１）が商用電力系統３から電力供給を受けている場合は、強制放電の電力を交流電路２に送り込むことで買電する電力を減らすことができる。但し、負荷７が、時間帯や季節によっては微小電力である場合もあり得る。このような場合、強制放電させたくても、放電電力の需要が無い（又は乏しい）ということも考えられる。
【００４２】
そこで、例えば以下のような形での電力需要確保が考えられる。
（ａ）ＨＥＭＳ（Home Energy Management System）が導入されている需要家であれば、強制放電を行う前に、容易に負荷を確保することができる。負荷としては、他の蓄電装置（電気自動車等のバッテリも含む。）や、貯湯型の電気給湯器等、エネルギーを蓄える装置が、より好ましい。
（ｂ）蓄電池の電力を系統連系で逆潮することは現時点では規制によりできないが、将来的に可能となれば放電電力を売電に充てることができる。
（ｃ）強制放電が必要となる場合に制御部１４は、例えばステップＳ１１（図５）で併せてアラームを出力し、ユーザに電力の使用を促す。これを受けてユーザは、必要な家電機器等を積極的に使うようにすれば、電力需要を確保することができる。
（ｄ）地域でＶＰＰ（Virtual Power Plant）を構成し、他の需要家に放電電力を提供することも考えられる。
【００４３】
図７は、図５の充放電制御を行う場合の、１日のＳＯＣ変化の他の例を示すグラフである。縦軸はＳＯＣ［％］、横軸は１日の時刻［時］を、それぞれ表している。蓄電池容量は例えば３ｋＷｈ、最大出力は１．５ｋＷであるとする。待機の所定時間は、この例では５時間である。
【００４４】
図７において、この例では、１時に完全放電の状態から１．５ｋＷで充電開始し、３時に満充電となる。３時から１時間待機した後、４時に１．５ｋＷで放電開始となり、６時に完全放電となる。６時から１時間待機した後の７時に、完全放電の状態から１．５ｋＷで充電開始し、９時に満充電となる。その９時に１．５ｋＷで放電開始となり、１１時に完全放電となる。以後、充電指令が出ないまま５時間が経過すると（１６時）強制的に充電を開始し、２０時まで行った時点でＳＯＣが所定範囲（１０％より上）になり、さらなる充電指令が無ければ、待機となる。
【００４５】
図７の場合、完全放電での連続した待機時間は５時間である。０時から１時の１時間を加えても、完全放電での１日の待機時間は６時間となる。図３と比較すれば明らかに、完全放電での待機時間は低減される。図５のステップＳ１４における「所定時間」をさらに短くすれば、より一層、待機時間を短縮することができる。但し、サイクル数も考慮して適切に所定時間を定めることが必要である。
【００４６】
《まとめ》
以上のように、蓄電装置８の制御部１４は、蓄電池１１を充電して満充電に相当する状態になってからの放電待機時間（放電待ちの待機時間）が所定時間に達すると蓄電池１１を強制的に放電させる。また、制御部１４は、蓄電池１１を放電させて完全放電に相当する状態になってからの充電待機時間（充電待ちの待機時間）が所定時間に達すると強制的に充電する。
このような充放電制御を行う蓄電装置８では、満充電に相当する状態になってからの待機時間、及び、完全放電に相当する状態になってからの待機時間が、常に所定時間以内となる。これにより、蓄電池が早期に劣化することを抑制し、蓄電池の長寿命化を実現することができる。
【００４７】
《他の構成例》
図８は、電源システム１００の他の回路構成を示す単線接続図である。図１との違いは、蓄電装置８、太陽光発電装置２１、及び、燃料電池発電装置２２の上位に、情報処理装置１９を設け、インターネット２０への接続を行う点である。この場合、例えば強制放電の場合の前述の（ｃ）のアラームを、ユーザのモバイル機器に送信することもできるようになる。アラームを受けたユーザは、信号を送信して、特定の電気機器を稼働させることができる。従って、ユーザは必ずしも在宅していなくても、アラームに応えて強制放電を手助けすることができる。
【００４８】
《補記》
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００４９】
１  分電盤
２  交流電路
３  商用電力系統
４  太陽光発電パネル
５  パワーコンディショナ
６  回路遮断器
７  負荷
８  蓄電装置
９  双方向インバータ
１０  連系リレー
１１  蓄電池
１２  開閉部
１３  ＢＭＳ
１４  制御部
１５  電流センサ
１６  電圧センサ
１７  燃料電池
１８  パワーコンディショナ
１９  情報処理装置
２０  インターネット
２１  太陽光発電装置
２２  燃料電池発電装置
１００  電源システム
【図１】
2019022302.tif 000004
【図２】
2019022302.tif 000005
【図３】
2019022302.tif 000006
【図４】
2019022302.tif 000007
【図５】
2019022302.tif 000008
【図６】
2019022302.tif 000009
【図７】
2019022302.tif 000010
【図８】
2019022302.tif 000011